(57)【要約】【課題】  デジタルカメラで撮影した画像のプリント写真作成後に不要になる注文情報の誤用を回避するプリント写真作成システムを提供する。【解決手段】  デジタルカメラで撮影した画像情報と該画像情報のプリント写真出力用の注文情報を記録した記録媒体から記録された情報を読み出す読出し手段と、読出し手段より読み出された情報を用いてプリント写真を出力する出力手段と、出力手段によりプリント写真作成された情報を検知する検知手段と、検知手段で検知した情報をもとに、画像情報に付与された注文情報を消去したり、あるいは、該注文情報でプリント写真作成を行ったことを記録媒体に記録するように制御する制御手段とを有するプリント写真作成システム。【選択図】        図２
2006209185.tif 000002
【特許請求の範囲】
【請求項１】
デジタルカメラで撮影された画像情報と該デジタルカメラで付与された該画像情報のプリント写真出力用の注文情報とを記録した記録媒体から記録された該画像情報と該注文情報とを読み出す読出し手段と、
該読出し手段より読み出された情報を用いてプリント写真を出力する出力手段と、
該出力手段によりプリント写真作成に使用された情報を検知する検知手段と、
該検知手段により検知された情報をもとに、該画像情報に付与された注文情報を消去するか、または、該注文情報にもとづくプリント写真作成が行われたことを該記録媒体に記録する、ように制御する制御手段と、
を有することを特徴とするプリント写真作成システム。
【請求項２】
前記デジタルカメラは、複数の記録媒体装着部を有し、
該複数の記録媒体装着部の１つに装着される記録媒体には画像情報が記録され、
残りの記録媒体装着部に装着される記録媒体には該画像情報と該画像情報のプリント写真出力用の注文情報とが記録される、
ことを特徴とする請求項１に記載のプリント写真作成システム。
【請求項３】
前記残りの記録媒体装着部に装着される記録媒体に記録される画像情報は、前記複数の記録媒体装着部の１つに装着された記録媒体に記録された画像情報のコピーであることを特徴とする請求項２に記載のプリント写真作成システム。
【請求項４】
前記記録媒体に記録された画像情報が、オリジナル画像かコピー画像かを検知し、コピー画像であると識別した場合には、該画像情報のプリント写真出力後に該記録媒体に記録されている情報のうち少なくとも注文情報の消去を行うことを特徴とする請求項３に記載のプリント写真作成システム。
【発明の詳細な説明】
【技術分野】
【０００１】
本発明は、画像情報とプリント注文情報とを有する記録媒体を用いてプリント写真を作成するプリント写真作成システムに関し、特に、プリント写真作成後、不要になったプリント注文情報の誤用を回避するプリント写真作成システムに関する。
【背景技術】
【０００２】
ミニラボショップなどの写真店では、最近はデジタルカメラで撮影された画像のプリント依頼にも対応している。しかしながら、初期の頃は、店頭でプリントしたい画像のファイル名や、プリント枚数、サイズなどを注文用紙に１つずつ記入しなくてはならず、手間のかかるものであった。この様な背景から、デジタルカメラによる撮影画像を手間をかけずにプリントできるシステムが検討され、ＤＰＯＦ（Ｄｉｇｉｔａｌ  Ｐｒｉｎｔ  Ｏｒｄｅｒ  Ｆｏｒｍａｔ）と呼ばれる機能を有するデジタルカメラが登場した。
【０００３】
ＤＰＯＦは、プリント注文機能付きのデジタルカメラのように、プリントしたい画像情報とサイズや枚数などの注文情報とをコンパクトフラッシュ（登録商標）やスマートメディアなどの記録媒体に書き込み、この記録メディアを写真店に渡してプリント依頼を円滑に行えるようにしている。具体的には、デジタルカメラ側で記録媒体中に画像データとその画像データのプリント指示情報を書き込む時に、プリント指示情報を画像ファイルのタグ領域と画像ファイルとは別に作成された注文ファイルとに使い分けして書き込みを行う。そして、プリント注文を受け付けるラボ側は、注文ファイル内のフラグを参照し、画像ファイルのタグ領域の指示情報が有効であればタグ領域に記録された情報を参照してプリント処理を実行するという方法によるものである（例えば、特許文献１参照）。
【０００４】
ＤＰＯＦにより、従来のデジタルカメラで撮影された画像のプリント依頼は円滑に行えるようになり、同じ記録媒体を使って何回もプリント注文を行うケースも出てきた。この場合、新たな注文内容と過去の注文内容とが混同するために、写真店ではユーザの注文していない画像を誤ってプリントするなど、ユーザの注文が写真店に正確に伝えられなくなるという問題を持っていた。そこで、記録媒体中の全ての注文情報が正しいかをユーザに確認させ、ユーザの確認を受けた記録媒体でプリント注文を行う方法が提案された。
【０００５】
これは、先ず、記録媒体中の注文情報と画像情報とを対応付けた状態で画面上にインデックス表示し、ユーザに注文内容を確認させ、さらに、ユーザに注文確定操作を行わせる。そして、注文確定操作を行った記録媒体を写真店に渡してプリント注文するものである。この方法によれば、ユーザが注文内容を確認した記録媒体が写真店に提供されるので、ユーザが注文していない画像を誤ってプリントすることがなくなり、ユーザの意図が写真店に正確に伝達されることをねらっている（例えば、特許文献２参照）。
【０００６】
ところで、プリント作成の終了後は、記録媒体中の注文情報は不要になることが多い。また、一度プリント作成注文に使用した記録媒体に今度は異なった注文情報をつけて再度プリント写真の注文を行うユーザもいる。記録媒体中に不要になった注文情報が混在していると、不要な注文情報に基づいて誤ったプリント作成が行われることがあるなど、プリント作成作業上好ましくない側面が多いので、不要になった注文情報は記録媒体からできれば削除したいものである。しかしながら、不要になった注文情報を削除している時に誤って大切な画像情報を削除することも懸念されるので、写真店ではユーザより預かった記録媒体中に残された注文情報の削除は通常行われていなかった。
【０００７】
一方、ＤＰＯＦは注文情報のファイルを画像情報のファイルと別に作成しているので、画像情報を誤って削除することなく不要になった注文情報を削除することができるようになっているが、それでも画像情報の誤削除防止の配慮がかなりなされている。例えば、画像情報に注文情報が付与された時にファイル属性を読出しのみ可能なものに変更して画像を誤って削除できないようにしたデジタルカメラがある（例えば、特許文献３参照）。しかしながら、この技術は撮影を行ったユーザが撮影した画像を誤って削除しないようにするものであり、写真店でプリント作業を円滑に行えるように不要になった注文情報のみを削除できるようにすることを意図するものではなかった。
【０００８】
また、デジタルカメラで撮影した画像情報を有効活用させる手段として、近年出回っている様々な記録媒体に画像情報を記録できるようにする技術も検討されている。その中で、複数の記録媒体を装填することが可能なデュアルスロット方式と呼ばれるデジタルカメラが登場している（例えば、特許文献４参照）が、デュアルスロット方式のデジタルカメラによる撮影画像のプリント写真作成の効率化などは、あまり検討されていなかった。
【特許文献１】特開平１１−１４６３０８号公報（段落００１４等参照）
【特許文献２】特開平１１−１９１８７０号公報（段落００１１等参照）
【特許文献３】特開２０００−２９５５６２号公報（段落００１１等参照）
【特許文献４】特開２００４−２０１２２６号公報（段落０００８等参照）
【発明の開示】
【発明が解決しようとする課題】
【０００９】
本発明は、デジタルカメラで撮影した画像をプリントに出力し、プリント写真作成後には不要になった注文情報を記録媒体から円滑に削除することが可能なプリント写真作成システムを提供することを目的とする。
【００１０】
すなわち、本発明は、１つの記録媒体を繰り返しプリント注文に使用する場合に、記録媒体中に不要になった古い注文情報と新しい注文情報とを混在させないようにして、ユーザが注文した画像のみの出力が可能なプリント写真作成システムを提供することを目的とする。
【００１１】
また、本発明は、記録媒体中から画像情報を誤って削除せずに不要になった注文情報のみを削除できるようにしたプリント写真作成システムを提供することを目的とする。
【課題を解決するための手段】
【００１２】
本発明の課題は、下記に記載の何れか１項に記載の構成により達成される。
【００１３】
（請求項１）
デジタルカメラで撮影された画像情報と該デジタルカメラで付与された該画像情報のプリント写真出力用の注文情報とを記録した記録媒体から記録された該画像情報と該注文情報とを読み出す読出し手段と、
該読出し手段より読み出された情報を用いてプリント写真を出力する出力手段と、
該出力手段によりプリント写真作成に使用された情報を検知する検知手段と、
該検知手段により検知された情報をもとに、該画像情報に付与された注文情報を消去するか、または、該注文情報にもとづくプリント写真作成が行われたことを該記録媒体に記録する、ように制御する制御手段と、
を有することを特徴とするプリント写真作成システム。
【００１４】
（請求項２）
前記デジタルカメラは、複数の記録媒体装着部を有し、
該複数の記録媒体装着部の１つに装着される記録媒体には画像情報が記録され、
残りの記録媒体装着部に装着される記録媒体には該画像情報と該画像情報のプリント写真出力用の注文情報とが記録される、
ことを特徴とする請求項１に記載のプリント写真作成システム。
【００１５】
（請求項３）
前記残りの記録媒体装着部に装着される記録媒体に記録される画像情報は、前記複数の記録媒体装着部の１つに装着された記録媒体に記録された画像情報のコピーであることを特徴とする請求項２に記載のプリント写真作成システム。
【００１６】
（請求項４）
前記記録媒体に記録された画像情報が、オリジナル画像かコピー画像かを検知し、コピー画像であると識別した場合には、該画像情報のプリント写真出力後に該記録媒体に記録されている情報のうち少なくとも注文情報の消去を行うことを特徴とする請求項３に記載のプリント写真作成システム。
【発明の効果】
【００１７】
請求項１に記載の発明では、デジタルカメラで撮影した画像を指定された注文情報に基づいてプリント写真作成した後、不要になった注文情報を記録媒体から自動的に削除できるようにしたり、あるいは、不要になった注文情報が記録媒体中に残っていてもこの情報でプリント写真作成できないようにした。その結果、一度プリント写真を作成した画像情報を別の条件でプリント出力したい場合、記録媒体中に古い注文情報が残っていないのでユーザが希望する出力条件でのプリント写真作成が確実に行えるようになった。
【００１８】
このように、本発明では不要になった注文情報を作業者が手をかけずに記録媒体中より自動的に削除できるので、記録媒体中に不要なプリント写真注文情報と必要なプリント写真注文情報とが混在しなくなる。あるいは、不要になった注文情報が記録媒体中に残っていても、この情報によるプリント写真作成を行うことができないようになっている。その結果、古い注文情報で誤ってプリント写真作成を行うというミスがなくなり、無駄のないプリント写真作成サービスを提供することが可能になった。
【００１９】
また、請求項２に記載の発明では、プリント写真作成に提供される記録媒体とは別に画像情報と注文情報とを記録したプリント写真注文用の記録媒体を用意することで、プリント写真作成時に作業者が画像情報を誤って削除しても、もう一方の記録媒体中に画像情報が残されているので、画像情報の消失の危険性を緩和させることができた。また、プリント写真注文のために写真店に記録媒体を預けている間も継続して撮影や画像情報の記録を行うことが可能になった。
【００２０】
さらに、請求項３に記載の発明では、デジタルカメラにおいて記録媒体に記録した画像情報を他の記録媒体にコピーし、コピーした画像情報にプリント写真出力用の注文情報を付けてプリント写真出力依頼用の記録媒体を用意できる。その結果、オリジナル画像の消失の危険性が緩和されるとともに、同じ画像情報を複数のプリントショップに同時にプリント写真注文することができたり、コピーした画像情報にプリントレベルを調整するための各種補正を加えてもオリジナル画像は補正されずに残すことができるようになった。
【００２１】
さらに、請求項４に記載の発明では、コピー画像が記録された記録媒体についてのみ注文情報の消去が行えるように制御することにより、オリジナル画像を記録した記録媒体を損傷させるような危険性を大幅に回避できるようになった。
【発明を実施するための最良の形態】
【００２２】
本発明は、デジタルカメラで撮影した画像をプリントに出力し、プリント写真作成後には不要になる注文情報を記録媒体から自動的に削除することが可能なプリント写真作成システムに関する。
【００２３】
ＤＰＯＦ（Ｄｉｇｉｔａｌ  Ｐｒｉｎｔ  Ｏｒｄｅｒ  Ｆｏｒｍａｔ）とは、デジタルカメラで撮影した写真画像をミニラボなどの写真店でプリントする際に必要となる情報をコンパクトフラッシュ（登録商標）やスマートメディアなどの記録媒体に記録する時のフォーマット形式のことである。ＤＰＯＦ対応のデジタルカメラは、プリントしたい画像とともにその枚数やサイズの指定などのいわゆる注文情報と呼ばれる情報も記録媒体に記録することができる。
【００２４】
前述したように、ＤＰＯＦが登場する前は、デジタルカメラで撮影した画像を写真店でプリント依頼する場合、プリントしたい画像のファイル名や枚数を注文用紙に１つずつ記入する手間がかかった。ＤＰＯＦ対応のデジタルカメラにより、写真店にプリントを依頼する時には、プリントしたい画像とその注文情報が入力された記録媒体を渡すだけで注文が済むことになり、従来のような店頭での手間がかかることがなくなったのである。
【００２５】
本発明は、このＤＰＯＦのメリットに加え、不要になった注文情報を記録媒体中から自動的に削除できるようにして、不要な注文情報と必要な注文情報とが記録媒体内に混在しないようにした。あるいは、不要になった注文情報を記録媒体中に残しておいてもこの情報でのプリント写真作成を行えないようにした。その結果、誤った条件でのプリント写真作成がなくなり、ユーザが求める正確な注文に無駄なく対応できるプリント写真作成を可能にした。
【００２６】
すなわち、本発明は、プリントが終了した後に注文情報を即座に消去したり、記録媒体中に注文情報を残してプリント写真を作成した情報を記録し、ユーザが次に注文情報をデジタルカメラで書き込む時に前の情報を消去したり上書きすることで、不要になった注文情報でのプリント写真作成を回避させることを実現した。さらには、不要になった注文情報を残しておいても、既にプリントを実施したものは次回以降のプリント写真の作成が行えないように制御することで、無駄なプリント写真作成を回避できるようにした。
【００２７】
以下、本発明に係るプリント写真作成システムについて詳細に説明する。
【００２８】
図１は、本発明に係るプリント写真作成システムの実施形態例を示す概略図である。図１に示す様に、図１のプリント写真作成システムは、デジタルカメラ１１から供給される記録媒体２に記録された画像情報が、情報取扱装置３を介してプリント写真出力装置４より各種プリント写真１０ａ、１０ｂ、１０ｃを出力するものである。
【００２９】
図１において、デジタルカメラ１１は、液晶モニタを備えたタイプのカメラであり、撮影により取得した画像情報を、そのデジタルカメラ本体とメモリカードに代表される着脱可能な記録媒体２に記録するものである。
【００３０】
情報取扱装置３は、記録媒体２に記録されている画像情報や注文情報を読み出して処理を行ったり、プリント写真を作成するプリンタ（プリント出力装置）への画像情報の出力等プリント写真作成の作動を制御する周辺機器やソフトウェアを備えたコンピュータである。情報取扱装置３は、本発明に係るプリント写真作成システムの作動を制御する制御手段に相当するとともに、記録媒体より画像情報と注文情報とを読み出す読出し手段にも相当する。
【００３１】
さらに、情報取扱装置３は、画像情報が注文情報に基づいてプリント写真出力装置４でプリント写真作成されていることを検知する検知手段に相当するとともに、プリント写真出力に使用された注文情報を記録媒体２より消去する消去手段、あるいは、プリント写真がすでに出力されたことを示す情報を記録媒体に書き込む書き込み手段に相当するものである。すなわち、情報取扱装置３は、本発明に係るプリント写真作成システムの作動を制御する制御手段に相当するものである。
【００３２】
プリント写真出力装置（デジタル写真プリンタ）４は、入力された画像情報を注文情報に記された条件に基づいてプリント写真１０を作成するもので本発明における出力手段に相当する。また、テンプレートデータベース５は、編集プリントの作成に使用される背景画像やイラスト、アート文字などを保管、提供するデータベースである。画像取扱装置３、プリント写真出力装置（デジタル写真プリンタ）４、テンプレートデータベース５は、いずれもプリントサービスを提供するラボのシステムとして設置されるものである。
【００３３】
本発明に使用可能なデジタルカメラ１１は、撮影を行うと撮影画像をメモリに記録する機能（以下撮影モードと称する）と、メモリに記録された画像をモニタに再生表示し、ユーザからの指示入力に応じて画像の削除などを行う機能（以下再生モードと称する）とを有する。
【００３４】
デジタルカメラ１１は、メモリに記録された画像をモニタに再生表示した時に、プリント注文に必要な処理項目のメニューをモニタに表示し、ユーザから入力されたプリント処理に関する指示情報、すなわち、注文情報を注文ファイル６内や画像ファイル７のタグ領域８に記述する機能を有する。この機能は、撮影モードや再生モードの一部として注文処理を組み込むことにより実現可能であり、また、撮影モードや再生モードとは別の注文モードとして実現することも可能である。
【００３５】
注文情報を注文ファイル６内に記述するか画像ファイル７のタグ領域８に記述するかは、注文情報の項目ごとに予め定めておくことが可能である。あるいは、例えば、撮影モードで入力された注文情報は画像ファイル７のタグ領域８に書き込み、再生モードで入力された注文情報は注文ファイル６内に書き込むというように、ユーザが選択したモードに応じて切り換えるものとしてもよい。
【００３６】
このように、本発明ではデジタルカメラ１１で画像情報を記録媒体２に記録する際に、プリント写真作成に使用される注文情報も記録媒体２に記録することが可能である。
【００３７】
デジタルカメラ１１の上述の機能により記録媒体２に記録された注文ファイル６および画像ファイル７は、記録媒体２をデジタルカメラ１から取り外し、情報取扱装置３に備えられているカードリーダにセットすることにより、ラボのシステムに受け渡される。
【００３８】
情報取扱装置３は、記録媒体２から注文ファイル６と画像ファイル７を読み出し、注文ファイル６あるいは画像ファイル７のタグ領域８に書き込まれた注文情報にしたがって、必要に応じてテンプレートデータベース５から必要なテンプレートデータを入手する。そして、画像ファイル７に記録されている画像情報９に対して色、階調変換、画素数変換、各種編集処理などの画像処理を施す。その後、情報取扱装置３は処理済みの画像データをプリント写真出力装置４に転送する。
【００３９】
プリント写真出力装置４は、情報取扱装置３からの指示にしたがって、転送された処理済画像データから、図１に示す様に、いわゆる普通の写真プリント１０ａや、インデックスプリント１０ｂ、編集プリント１０ｃなどを作成する。
【００４０】
そして、情報取扱装置３はプリント写真出力装置４でのプリント写真作成を確認すると、プリント写真作成に使用された画像情報９に付与された注文情報を削除するか、もしくは、注文が実行されたことを示す情報を使用された注文情報に関連づけて記録する。
【００４１】
ここで、本発明に係るプリント写真作成システムでのプリント写真作成をより詳細に説明するために、図２のブロック図を用いて本発明に係るプリント写真作成システムにおける制御を説明する。
【００４２】
本発明に係るプリント写真作成システムでは、情報取扱装置（コンピュータ）３内に装填される制御部３により、記録媒体２に記録されている画像情報を用いてプリント写真を作成するとともにプリント写真作成に使用された画像情報に付与されている注文情報を記録媒体２より削除するように制御されている。
【００４３】
図２に示すように、情報取扱装置（図中では制御部と記す）３は本発明におけるプリント写真を出力する出力手段に該当するプリント写真出力装置４や各種情報を記録しておくデータベース５と接続し、これらの作動を制御する。また、情報取扱装置３は図２に３１から３５で示す各部位を有し、これらの部位では種々の制御が行われている。
【００４４】
記録媒体装填部３１は記録媒体２を情報取扱装置３に装填させて、記録媒体２内の情報の読み出しや削除が行えるようにするものである。記録媒体情報読出部３２は本発明における読出し手段に該当し、記録媒体２に記録された画像情報９と注文情報１７を読み出すものである。記録媒体情報読出部３２で読み出された画像情報９と注文情報１７はプリント写真出力装置４に送られ、プリント出力情報選択部４１で選択された画像情報９がプリント写真として出力される。
【００４５】
プリント写真出力装置使用情報検出部３３は、本発明における検知手段に該当しプリント写真出力装置４でプリント写真の作成に使用された画像情報９を検出する。そして、制御部３はプリント写真出力装置使用情報検出部３３で検出された画像情報９に添付されている注文情報１７を削除するように制御する。情報書込部３４は、記録媒体２に情報を記録するもので、例えば、注文情報１７を削除する代わりに画像情報にプリント出力したか否かを示す情報を記録媒体２に記録されている画像情報９に追記してもよい。プリント出力装置使用情報検出部３３は情報書込部３４により記録された情報を検知することにより、プリント写真作成に使用された画像情報９を検出することも可能である。
【００４６】
注文情報削除部３５は、本発明における消去手段に該当し、記録媒体２に記録されている画像情報の中でプリント出力装置使用情報検出部３３で検出された画像情報９に添付されている注文情報１７を削除するものである。注文情報削除部３５はプリント写真作成に使用された画像情報９に付与された注文情報１７を削除するものであるが、例えば、前述した情報書込部３４で書き込まれたプリント出力したことを示す情報を同時に削除することも可能である。
【００４７】
この様に、本発明では、情報取扱装置（コンピュータ）３内に設けられている制御部３により、記録媒体２に記録されている画像情報のプリント写真作成やプリント写真作成に使用された注文情報の記録媒体２からの削除の実施が制御される。
【００４８】
次に、記録媒体中のデータ構造について説明する。図３は、本発明に使用される記録媒体に画像情報と注文情報を格納する際に用いられる形態例を示す図である。本発明に使用可能な記録媒体２は、ＳＳＦＤＣ、コンパクトフラッシュ（登録商標）、ＰＣカードなどのメモリカードと呼ばれる記録媒体が代表的なものとして挙げられる。また、メモリカードの他にも、ＦＤ、ＰｉｃｔｕｒｅＭＤ、Ｚｉｐ、ＭＯ、さらには、マイクロドライブ（登録商標）に代表される可搬型の小型ハードディスク、磁気ディスク、光ディスク（ＣＤ−Ｒ，ＣＤ−ＲＷ，ＤＶＤ−Ｒ，ＤＶＤ−ＲＡＭなど）、光磁気ディスクといった種々のリムーバブルメディアも記録媒体として使用可能である。
【００４９】
図３に示すように、本発明に使用される記録媒体ではパソコンのファイルシステムと同様にファイルを複数のディレクトリに分類して格納する。これらのディレクトリは、予め固定で定めておいてもよいし、デジタルカメラ１１にディレクトリ作成機能を設けて、ユーザが作成できるようにしてもよい。図３の例では、ルートディレクトリの下に、注文情報を収納する注文ファイル６（ＯＲＤＥＲ．ＴＸＴ）と、ディレクトリＩＭＦＩＤＸ１０が存在し、さらにディレクトリＩＭＦＩＤＸ１０の中に、画像情報を収納する画像ファイル７が格納されており、画像ファイル７には例えばＥｘｉｆなどの圧縮形式により画像情報が収納されている。
【００５０】
図４は、画像ファイル７のフォーマットの一例を示す図である。図に示すように、画像ファイル７は、画像を表す画像データ９に対し、その画像の各種付帯情報を記述するタグ領域８を付与したフォーマットのファイルである。タグ領域８には、その画像ファイルのフォーマット種別２９のほか、例えば低解像度のサムネイル画像１５や、撮影日やカメラの露出などの撮影情報１６、さらには注文情報１７などを書き込む領域がある。
【００５１】
また、本発明では、タグ領域８に注文情報１７の内容で画像データ９をプリント出力したか否かを示すプリント写真作成実施情報２２を書き込む領域を有することも可能であり、ここにプリントを実施したことを示す記録が書き込まれた画像ファイル７に記録されている注文情報１７に記載された内容をコンピュータ３の注文情報削除部３５が削除する。
【００５２】
注文情報１７には、プリントサイズ１８や、注文枚数１９、トリミング範囲２０、印画紙種類（光沢、絹目、シールプリントなど）２１、フチ有り／フチなし選択（図示せず）、画像移動（回転など）（図示せず）といった種々の注文に関する項目を記述することができる。デジタルカメラ１では、上記フォーマットにしたがって、ユーザから受け付けたプリント指示情報を注文情報として各領域に格納する。
【００５３】
なお、タグ領域８に記述する注文情報の具体的な項目および各項目に割り当てられるビット数は、上記例に限定されるものではない。
【００５４】
次に、本発明に係るプリント写真作成システムにおけるプリント写真注文受注からユーザへのプリント写真返却までの一連の流れを説明する。
【００５５】
本発明では、プリント写真注文を受けてプリント写真を出力した後、プリント出力したものに付与されている注文情報が削除される。この様にしてプリント写真作成に使用された注文情報を記録媒体中から消去して、過去に使用された注文情報と新しい注文情報とが記録媒体中に混在しないようにしている。
【００５６】
また、本発明の別の実施形態としては、注文情報を削除せず、注文情報に基づいてプリント写真が作成されたことを示す情報を記録媒体に記録することで、次回以降重複してプリント写真を作成しないように制御してもよい。
【００５７】
具体的には、一度注文に使用した記録媒体をデジタルカメラに装填し、新しい注文情報をユーザが書き込もうとした際に、前回プリントした情報にもとづき前回の注文情報が自動的に削除されるようにしてもよい。あるいは、前回の注文情報を削除する前にユーザに確認を促す表示を行い、ユーザの確認操作で削除が完了した後に新たな注文情報を書き込めるようにしてもよい。
【００５８】
さらに、別の実施形態として、注文情報は削除されずに残っているが、既にプリントを実施した記録のある注文情報については次回以降のプリントが実行されないように制御するものでもよい。
【００５９】
本発明に係るプリント写真作成システムによるプリント写真注文の流れの一例を図５に基づいて説明する。最初に、写真店はユーザより記録媒体であるメモリカード２を預かり、記録されている画像情報のプリント写真作成依頼を受ける（ステップＳ１）。写真店では、プリント写真を作成するために画像取扱装置３の記憶媒体装填部３１にユーザより預かったメモリカード２を装填する（ステップＳ２）。
【００６０】
制御部３は、記憶媒体記録情報読出部３２を作動させて、メモリカード２に記録されている画像情報９と注文情報１７を読み出し（ステップＳ３）、読み出した情報をプリント出力装置４に送出する（ステップＳ４）。
【００６１】
プリント出力装置４では、プリント出力情報選択部４１を介してプリント写真にする画像情報を注文情報とともに選択し（ステップＳ５）、選択した画像情報を付与された注文情報にしたがって記録媒体上に出力する（ステップＳ６）。プリント出力作業終了後、制御部３はプリント出力装置使用情報検出部３３を作動させて（ステップＳ７）、プリント出力装置４に送出した画像情報がプリント出力に選択、使用されたか否かを検出する（ステップＳ８）。
【００６２】
そして、プリント出力に使用された画像情報を検出すると（ステップＳ９のＹｅｓ）、制御部３は、注文情報削除部３５を作動させて（ステップＳ１０）、メモリカード２に記録されている該当画像情報に付与されている注文情報を削除する（ステップＳ１１）。一方、プリント出力に使用されていない画像情報（ステップＳ９のＮｏ）は注文情報を削除せずにそのままにしておく。
【００６３】
写真店では、上記一連のプリント写真出力作業を終えると、メモリカード２を記憶媒体装填部３１より取り出して（ステップＳ１２）、作成したプリント写真とともにユーザに返却する（ステップＳ１３）。
【００６４】
このように、本発明に係るプリント写真作成システムによれば、プリント写真作成に使用された画像情報の注文情報１７を記録媒体中より削除し、注文情報を削除した記録媒体を作成したプリント写真とともにユーザに返却することが可能である。
【００６５】
次に、本発明に好ましく使用されるデジタルカメラについて説明する。
【００６６】
本発明に係るプリント写真作成システムに供給される画像情報を作成するデジタルカメラは、画像情報とともにプリント作成用の注文情報を記憶媒体に記録可能なものであれば特に限定されるものではないが、デュアルスロット式と呼ばれる２つの記録媒体を同時に装着可能なデジタルカメラが特に好ましい。
【００６７】
デュアルスロット式のデジタルカメラを用いることにより、１つの記録媒体に画像情報を記録し、残りの記録媒体に画像情報とプリント写真出力用の注文情報を記録した２つの記録媒体を用意することができる。その結果、ユーザの下にデジタルカメラで撮影した画像情報を残すことができるので、万一、プリント写真作成用に渡した記録媒体中の画像情報が誤って削除されても、ユーザは画像情報を紛失することはなくなる。
【００６８】
また、デュアルスロット式のデジタルカメラでは、１つの記録媒体に記録した画像情報を残りの記録媒体にコピーすることができるので、もう１つの記録媒体中にコピーした画像情報と注文情報を記録したものが用意できる。その結果、オリジナル画像を消失させる危険性が緩和されるとともに、同じ画像情報を複数のプリントショップに同時にプリント写真注文したり、プリント写真を注文している間もユーザは手元に残した記録媒体を使って引き続き撮影や画像情報の記録を行うことが可能になる。
【００６９】
また、コピー画像が記録された記録媒体についてのみ注文情報を消去できるので、オリジナル画像を記録した記録媒体を損傷させるような危険性も回避できる。
【００７０】
さらに、プリントショップが固有のフォーマットでプリント写真注文用の記録媒体を顧客に配布することにより、プリント注文を自分の店で繰り返し行えるようにするビジネスモデルを構築することも可能である。
【００７１】
以下、本発明に係るプリント写真作成システムに注文情報付きの画像情報を供給することが可能なデジタルカメラの実施形態例を説明する。
【００７２】
図６は、本発明に係るプリント写真作成システムに供給される画像情報が作成可能なデジタルカメラ１１の構成例を示すブロック図である。同図に示すデジタルカメラ１１は、被写体の光学像をデジタル画像データに変換して記録媒体に記録するものであるが、デジタルカメラ１１は、上記機能の他に、静止画像の記録再生や音声付き動画像の記録再生といった機能を具備するものも含まれる。
【００７３】
カメラ１１全体の動作は、カメラ内蔵の中央処理装置（ＣＰＵ）１２によって統括制御される。ＣＰＵ１２は、所定のプログラムに従って本カメラシステムを制御する制御手段として機能するとともに、自動露出（ＡＥ）演算、自動焦点調節（ＡＦ）演算など各種演算を実施する演算手段として機能する。
【００７４】
ＣＰＵ１２はバス１４を介してメモリ制御回路１６と接続されており、該メモリ制御回路１６はバス１８を介してＲＯＭ２０及びメモリ（ＳＤＲＡＭ）２２と接続されている。ＲＯＭ２０には、ＣＰＵ１２が実行するプログラム及び制御に必要な各種データやＣＰＵ１２を介して後述する記録媒体２４または２５に記録させるプリント写真注文情報等が格納されている。メモリ２２はプログラムの展開領域及びＣＰＵ１２の演算作業用領域として利用されるとともに、画像データや音声データの一時記憶領域として利用される。なお、不揮発性記憶手段であるＲＯＭ２０は書換不能なものであってもよいし、ＥＥＰＲＯＭのように書換可能なものでもよい。
【００７５】
カメラ１１には、ユーザが各種の指令を入力するための操作手段８０が設けられている。操作手段８０は、画質モード設定操作部８１、記録画素数設定操作部８２、動画／静止画モード選択操作部８３、シャッタボタン８４、連写モード設定操作部８５などの各種操作部を含む。
【００７６】
画質モード設定操作部８１は、撮影した画像データの記録画質（ここでは、圧縮率）を設定するための操作手段である。本例のカメラ１１では、撮影の目的に合わせて、高画質（低圧縮率）の「ＦＩＮＥ」、標準画質の「ＮＯＲＭＡＬ」、高圧縮率の「ＢＡＳＩＣ」という三種類の画質（記録圧縮率）の選択が可能である。
【００７７】
記録画素数設定操作部８２は、撮影した画像データの記録画素数（画像サイズ）を設定するための操作手段である。本例のカメラ１１では、２８３２×２１２８画素（６Ｍ）、２０４８×１５３６画素（３Ｍ）、１２８０×９６０画素（１Ｍ）、６４０×４８０画素（ＶＧＡ）の何れかの記録画素数を選択できる。記録画質と記録画素数との組合せによって撮影画像のデータ量（ファイルサイズ）は変化する。
【００７８】
動画／静止画モード選択操作部８３は、動画の記録を行う「動画モード」と静止画の記録を行う「静止画モード」とを切り換えるための操作手段である。シャッタボタン８４は、撮影開始の指示を入力する操作手段であり、動画撮影においては録画開始（スタート）／停止（ストップ）ボタンとして機能し、静止画撮影においてはレリーズボタンとして機能する。シャッタボタン８４は、半押し時にＯＮするＳ１スイッチと、全押し時にＯＮするＳ２スイッチとを有する二段ストローク式のスイッチで構成されている。
【００７９】
連写モード設定操作部８５は、１回のシャッタボタン８４の押下操作によって静止画の連続撮影（連写）を実行する連写モードと、１回のシャッタボタン８４の押下操作によって１回の静止画撮影を実行する通常のモード（単写モード）とを切り換えるための操作手段である。
【００８０】
また、図示されていないが、操作手段８０には、撮影モードと再生モードとを切り換えるためのモード選択手段、撮影倍率や再生倍率を変更するズーム操作手段、液晶モニタ４０にメニュー画面を表示させるメニューボタン、メニュー画面から所望の項目を選択する十字キー（カーソル移動操作手段）、選択項目の確定や処理の実行を指令するＯＫボタン、選択項目など所望の対象の消去や指示内容の取消し、或いは１つ前の操作状態に戻らせる指令を入力するキャンセルボタンなどの操作手段も含まれる。
【００８１】
さらに、本発明では、操作手段８０により、デジタルカメラ１１で撮影した画像情報を前述のプリント写真作成システム１でプリント写真作成する時に使用される注文情報１７を液晶モニタ４０上に画像情報とともに表示して、ユーザが注文情報を選択できるように対応されている。
【００８２】
なお、操作手段８０の中には、プッシュ式のスイッチ部材、ダイヤル部材、レバースイッチなどの構成によるものに限らず、メニュー画面から所望の項目を選択するようなユーザインターフェースによって実現されるものも含まれている。
【００８３】
操作手段８０からの操作信号はＣＰＵ１２に入力される。ＣＰＵ１２は操作手段８０からの入力信号に基づいてカメラ１１の各回路を制御し、例えば、レンズ駆動制御、撮影動作制御、画像処理制御、画像情報の記録／再生制御、液晶モニタ４０の表示制御、さらにはプリント写真作成用の注文情報の表示、選択制御などを行っている。
【００８４】
液晶モニタ４０は、撮影時に画角確認用の電子ファインダとして使用できるとともに、記録済み画像を再生表示する手段として利用される。また、液晶モニタ４０は、ユーザインターフェース用表示画面としても利用され、必要に応じてメニュー情報や選択項目、設定内容、さらにはプリント写真作成用の注文情報などの情報が表示される。なお、液晶ディスプレイに代えて、有機ＥＬなど他の方式の表示装置（表示手段）を用いることも可能である。
【００８５】
カメラ１１は、記録媒体２を装着する２つのメディアソケット（メディア装着部、記録媒体装着部ともいう）４４、４５を有し、それぞれのメディアソケット４４、４５に記録媒体２４、２５を装着することができる。記録媒体２４、２５の形態は、前述したプリント写真作成システム１に使用可能なもので、前述の半導体メモリカードに代表されるスマートメディア（登録商標）が好ましい。また、マイクロドライブ（登録商標）に代表される可搬型の小型ハードディスク、磁気ディスク、光ディスク（ＣＤ−Ｒ，ＣＤ−ＲＷ，ＤＶＤ−Ｒ，ＤＶＤ−ＲＡＭなど）、光磁気ディスクなど種々の媒体も挙げられる。本発明の実施に際しては、メディアソケットの個数は特に限定されない。また、画像情報を記録する手段はリムーバブルメディア（カメラ１１に対して着脱自在な構造の可搬型記録媒体）の他に、カメラ１１に内蔵された記録媒体（内部メモリ）であってもよい。デジタルカメラ１１では、記録媒体２４と２５は、例えば、両方とも半導体メモリカードを使用するように記録媒体の種類が同じであっても、また、片方に半導体メモリカード、もう片方にＣＤ−Ｒを用いるように異種の記録媒体を使用するものでもよい。
【００８６】
本発明に使用可能なデジタルカメラ１１は、このような記録媒体２４、２５の特性を生かすように、記録に用いる記録媒体２４又は２５を自動的に選択する機能を備えている。また、本発明に使用可能なデジタルカメラ１１では、メディアソケット４４、４５に装着される記録媒体２４，２５が書換可能なものが好ましく、特に、前述のプリント写真作成システム１に装填する記録媒体には書換可能なものを使用する。
【００８７】
２つのメディアソケット４４、４５はバス５０を介してメディアインターフェース（Ｉ／Ｆ）回路５２に接続している。メディアＩ／Ｆ回路５２は、バス１４経由でＣＰＵ１２と接続しており、ＣＰＵ１２の指令に従い記録媒体２４、２５の読み書きに適した入出力信号の受渡しを行うために所要の信号変換を行う。
【００８８】
各メディアソケット４４、４５は、記録媒体２４、２５の装着有無を検出するためのメディア検知端子（不図示）を有しており、記録媒体２４、２５の装着状態／未装着状態を示す検知信号はメディアＩ／Ｆ回路５２を経由してＣＰＵ１２に入力される。
【００８９】
次に、カメラ１１の撮影機能について説明する。
【００９０】
カメラ１１は、撮影レンズ５６とＣＣＤ固体撮像素子（以下、ＣＣＤという。）５８を備えている。撮影レンズ５６は単焦点レンズであってもよいし、ズームレンズのような焦点距離可変のものでもよい。
【００９１】
撮影モードが選択されるとＣＣＤ５８を含む撮像部に不図示の電源部から電力が供給され、撮影可能な状態になる。撮影レンズ５６を通過した光は、不図示の絞り機構によって光量が調節された後、ＣＣＤ５８の受光面に結像される。ＣＣＤ５８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５８は、各フォトダイオードの電荷蓄積時間（シャッタースピード）を制御する電子シャッター機能を有している。
【００９２】
ＣＰＵ１２は、パラレル入出力回路６０を介してドライバ回路６２に指令を送り、ＣＣＤ５８の電荷蓄積時間や電荷転送を制御する。なお、ＣＣＤ５８に代えてＭＯＳ型など他の方式の撮像素子を用いてもよい。
【００９３】
ＣＣＤ５８の受光面に結像された被写体像は、各フォトダイオードによって入射光量に応じた量の信号電荷に変換される。各フォトダイオードに蓄積された信号電荷は、ＣＰＵ１２の指令に従いドライバ回路６２から与えられる駆動パルスに基づいて信号電荷に応じた電圧信号（画像信号）として順次読み出される。
【００９４】
ＣＣＤ５８から出力された信号はアナログ処理部６４に送られ、ここで各画素ごとのＲ、Ｇ、Ｂ信号がサンプリングホールド（相関二重サンプリング処理）され、増幅された後、Ａ／Ｄ変換器６６に送られる。Ａ／Ｄ変換器６６は、順次入力するＲ、Ｇ、Ｂ信号をデジタル信号に変換して信号処理回路６８に出力する。
【００９５】
信号処理回路６８は、Ａ／Ｄ変換されたデジタル形式の画像情報をＣＰＵ１２の指令に従って処理する。すなわち、信号処理回路６８は、同時化回路（単板ＣＣＤのカラーフィルタ配列に伴う色信号の空間的なズレを補間して色信号を同時式に変換する処理回路）、輝度・色差信号生成回路、ガンマ補正回路、輪郭補正回路、ホワイトバランス補正回路等を含む画像処理手段として機能するとともに音声処理手段として機能し、ＣＰＵ１２からのコマンドに従ってメモリ（ＳＤＲＡＭ）２２を活用しながら画像信号及び音声信号を処理する。
【００９６】
信号処理回路６８に入力されたＲＧＢの画像データは、信号処理回路６８において輝度信号（Ｙ信号）及び色差信号（Ｃｒ、Ｃｂ信号）に変換されるとともに、ガンマ補正等の所定の処理が施される。信号処理回路６８で処理された画像情報はメモリ２２に格納される。
【００９７】
撮像中の映像を液晶モニタ４０に出力する場合、メモリ２２から画像情報が読み出され、バス１４を介して表示制御回路７０に送られる。表示制御回路７０は、入力された画像情報を表示用の所定方式の信号（例えば、ＮＴＳＣ方式のカラー複合映像信号）に変換して液晶モニタ４０に出力する。
【００９８】
ＣＣＤ５８から出力される画像信号によってメモリ２２内の画像情報が定期的に書き換えられ、その画像情報から生成される映像信号が液晶モニタ４０に供給されることにより、撮像中の映像がリアルタイムに液晶モニタ４０に表示される。撮影者は、液晶モニタ４０に映出される映像（スルームービー画）によって撮影画像を確認できる。
【００９９】
静止画撮影モードにおいてシャッタボタン８４が押され、Ｓ１スイッチがＯＮされると（Ｓ１＝ＯＮ）、ＣＰＵ１２はこれを検知してＡＥ及びＡＦ制御を行い、シャッタボタン８４の全押し（Ｓ２＝ＯＮ）を検知すると、記録用の画像を取り込むためのＣＣＤ露光及び読み出し制御を開始する。すなわち、ＣＰＵ１２は、Ｓ１＝ＯＮに応動して取り込まれた画像データから焦点評価演算やＡＥ演算などの各種演算を行い、その演算結果に基づいて不図示のレンズ駆動用のモータを制御して撮影レンズ５６を合焦位置に移動させるとともに、図示せぬ絞り機構を制御する。そして、Ｓ２＝ＯＮに応動して、画像取得時の電荷蓄積時間を制御する。
【０１００】
こうして、取り込まれた画像情報は、信号処理回路６８において輝度・色差信号変換処理（ＹＣ処理）その他の所定の信号処理を経た後、圧縮伸張回路７２に送られ、ここで所定の圧縮フォーマット（例えば、ＪＰＥＧ方式）に従って圧縮される。圧縮された画像情報は、メディアＩ／Ｆ回路５２を介して記録媒体２４又は２５に記録される。
【０１０１】
また、デジタルカメラ１１では、動画／静止画モード選択操作部８３により動画モードが選択されると、音声付き動画を記録することも可能である。デジタルカメラ１１で行われる音声付き動画の記録や再生は、例えば、特開２００４−２０１２２６号公報の段落００５２〜００５４の記載等を参照することが可能である。また、図６中７４〜７６は動画撮影時における音声入力を行う構成であり、７７〜７９は動画再生時に音声を再生し出力する構成である。
【０１０２】
また、操作手段８０によって再生モードが選択されると、記録媒体２４又は２５に記録されている画像ファイル（最後に記録されたファイル）のデータが読み出される。最後の記録に係るファイルがプリント写真作成が可能な静止画ファイルの場合、この読み出された画像ファイルの圧縮データは、圧縮伸張回路７２を介して非圧縮のＹＣ信号に伸張され、信号処理回路６８及び表示制御回路７０を介して表示用の信号に変換された後、液晶モニタ４０に出力される。これにより、当該ファイルの画像内容が液晶モニタ４０上に表示される。
【０１０３】
静止画の一コマ再生中（動画の先頭フレーム表示中も含む。）に、十字キーの右キー又は左キーを操作することによって、再生対象のファイルを切り換えること（順送り／逆送り）ができる。コマ送りされた位置の画像ファイルが記録媒体２４又は２５から読み出され、上記と同様にして静止画像や動画が液晶モニタ４０に再生表示される。
【０１０４】
また、デジタルカメラ１１では、記録媒体２４または２５より読み出された画像情報にプリント写真作成時に使用する注文情報１７を記録することも可能である。その１つの例として、液晶モニタ４０に画像情報を再生表示した時に、ＣＰＵ１２がＲＯＭ２０に収納されている注文情報を取り出し、液晶モニタ４０に表示する。ユーザは、表示された情報の中から希望するものを選択し、ＣＰＵ１２は選択された注文情報を表示された画像情報に対応させる操作を行い、記録媒体２４または２５には注文情報１７が付与された画像情報９が記録される。
【０１０５】
あるいは、撮影画像を圧縮し記録媒体２４または２５に記録する時に、ＣＰＵ１２がＲＯＭ２０に収納されている注文情報を取り出し、液晶モニタ４０に表示して圧縮画像とともに注文情報を記録媒体２４または２５に記録する方法も挙げられる。
【０１０６】
次に、本発明に使用可能なデジタルカメラ１１で行われる画像記録動作の１つの例を説明する。本発明に使用可能なデュアルスロット式のデジタルカメラ１１は、装着されている記録媒体２４、２５間で画像情報を移動させて片方の記録媒体からもう片方の記録媒体に画像情報をコピーすることが可能である。また、デジタルカメラ１１は前述したように記録媒体２４または２５に画像情報とともにプリント写真作成時に使用する注文情報を記録することも可能である。
【０１０７】
図７は、デジタルカメラ１１の撮影処理手順の１つの例として、撮影した画像情報を片方の記録媒体からもう片方の記録媒体にコピーするとともに、コピーした記録媒体にはプリント写真作成に使用する注文情報も記録する処理手順のフローチャートである。ＣＰＵ１２は、まず、メディア検知信号を読み込み（ステップＳ２１）、メディアソケット４４、４５に記録媒体２４、２５が装着されているか否かを確認する（ステップＳ２２）。２つのメディアソケット４４、４５の何れにも記録媒体２４、２５が装着されていない場合（ステップＳ２２のＮｏ）は、記録媒体２４、２５が未装着であることを示すエラーメッセージを液晶モニタ４０に表示させる（ステップＳ２４）。
【０１０８】
一方、記録媒体２４、２５のうちの少なくとも１つが装着されていると判定した場合（ステップＳ２２のＹｅｓ）は、装着されている記録媒体の種別を認識する（ステップＳ２３）。次いで、２種類の記録媒体２４、２５が同時に装着されているか否かを判定する（ステップＳ２５）。装着されている記録媒体が２４か２５のいずれか１種類が装着されていると判定した場合（ステップＳ２５のＮｏ）は、保存先を選択する余地がないので装着されている記録媒体２４または２５に画像情報と注文情報とを記録する（ステップＳ２７）。
【０１０９】
一方、メディアソケット４４、４５に２種類の記録媒体２４、２５が同時に装着されていると判定した場合（ステップＳ２５のＹｅｓ）は、それぞれの記録媒体２４、２５の記録容量を確認し（ステップＳ２６）、更に、それぞれの記録媒体２４、２５の記録速度を確認する処理を行う（ステップＳ２７）。具体的には、ＣＰＵ１２がメディアＩ／Ｆ回路５２を介して各記録媒体２４、２５にアクセスし、それぞれの空き容量を検出する。また、記録速度は記録媒体２４、２５の種類によって異なることがあるので、前述した記録媒体２４、２５の種別認識（ステップＳ２３）の結果に基づいて判断される。
【０１１０】
次に、ＣＰＵ１２はシャッタボタン８４からの信号入力を監視し（ステップＳ２８）、シャッタボタン８４が半押しされてＯＮするＳ１スイッチの入力を検知する（ステップＳ２９）。ユーザによりシャッタボタン８４が半押しされてＳ１スイッチがＯＮしたことを検知すると（ステップＳ２９のＹｅｓ）、ＡＥ及びＡＦ処理を実施し（ステップＳ３０）、次に、シャッタボタン８４が全押しされた時にＯＮするＳ２スイッチの入力を判定する（ステップＳ３１）。シャッタボタン８４よりＳ２スイッチがＯＮされていない場合（Ｓ３１のＮｏ）は、Ｓ１スイッチが解除されたか否かを判定する（ステップＳ３２）。
【０１１１】
Ｓ１スイッチが解除されている場合（ステップＳ３２のＹｅｓ）は、シャッタボタン８４からの入力監視状態に戻り（ステップＳ２８）、撮影指示の入力受付状態になる。一方、スイッチＳ１が解除されていない場合（ステップＳ３２のＮｏ）は、Ｓ２＝ＯＮの入力を待機する。そして、Ｓ２＝ＯＮの入力が検出されると（ステップＳ３１のＹｅｓ）、記録用の撮影が実行される（ステップＳ３３）。撮影の実行によりＣＣＤ５８の露光及び読出し処理が実施されて画像信号が取得される。取得された画像信号を処理して画像情報が生成される（ステップＳ３４）。
【０１１２】
生成された画像情報は、２つの記録媒体２４、２５のうちのいずれかの記録媒体に一時的に記録保存される（ステップＳ３５）。画像情報の一時記録保存は２つの記録媒体２４、２５のいずれでもよいが、高速アクセス及び書換えが行える記録媒体に行うことが好ましい。なお、図７では記録媒体２４に記録しておく。
【０１１３】
画像情報を記録媒体２４に記録した後、撮影モードの解除操作が行うか否かの判定を行う（ステップＳ３６）。撮影モードの解除操作が行われていない場合（ステップＳ３６；Ｎｏ）は、撮影モードの状態が維持され、前述したシャッタボタン８４からの入力監視を行う撮影指示の入力受付状態になる（ステップＳ２８）。この状態の時に記録媒体２４に記録した画像情報の記録媒体２５へのコピー、及び、注文情報の記録を行うことが可能になる。
【０１１４】
シャッタボタン８４より、半押しのＳ１スイッチが入力されていないことを検知すると（ステップＳ２９；Ｎｏ）、次に、ユーザからデータ移動の要求が入力されたか否かを判定する（ステップＳ３７）。すなわち、カメラ１１は、記録媒体２４に記録した画像情報をユーザの操作に応じてもう１つの記録媒体２５にコピーする機能を有しており、ユーザから画像情報の移動要求の操作を受け付ける。例えば、メニュー画面から「記録データを移動する」という処理コマンドを選択してＯＫボタンで選択を確定すると、カメラ１１はデータ移動モードに移行する。
【０１１５】
ＣＰＵ１２は、ユーザより画像情報の移動要求が入力されたことを確認した場合（ステップＳ３７のＹｅｓ）は、記録媒体２４に記録されている画像情報を液晶モニタ４０に再生表示する処理を行う（ステップＳ３８）。この再生処理は、再生モードと同様に、記録媒体２４に記録した画像を表示させるものであり、ユーザの操作に応じて順方向コマ送りや逆方向コマ送りによって表示画像を変更することも可能であるし、液晶モニタ４０の表示画面を複数の表示エリアに分割して、複数の画像内容を同時に表示する多画面表示（マルチ再生）することも可能である。
【０１１６】
画像再生中に、カメラ１１はユーザから画像の選択操作を受け付けるとともに選択された画像情報をプリント写真作成する時の注文情報付与を受け付ける（ステップＳ３９）。ユーザは液晶モニタ４０上で画像内容を確認しながら、記録媒体２５に保存すべき画像情報を選択する操作を行うとともに、プリント写真作成時に必要な枚数やサイズなどの注文情報を各画像情報に対応して選択する。
【０１１７】
画像情報の選択及び注文情報の付与が完了すると、ユーザは対象データを記録媒体２５に転送し記録する処理を実行するための指令を行う（ステップＳ４０）。
【０１１８】
ＣＰＵ１２は、ユーザから転送処理の実行指令が入力されたか否かを判定し、実行指令の入力がない場合（Ｓ４０；Ｎｏ）は、ステップＳ３９に戻って入力を待機する。また、転送処理の実行指令が入力されたことを検知した場合（ステップＳ４０；Ｙｅｓ）は、選択された画像情報とこれらに対応する注文情報とを記録媒体２５に記録する処理を実行する（ステップＳ４１）。複数の画像が選択されている場合には、選択に係る複数の画像を記録媒体２５に順次記録する処理が行われる。
【０１１９】
このとき、データ転送処理中にユーザが記録媒体２４、２５の着脱を行わないように、警告を表示することが好ましい。警告表示手段としては、例えば、液晶モニタ４０に警告メッセージや警告マークなどを表示させたり、不図示の警告ランプを点灯又は点滅させる態様などが挙げられる。
【０１２０】
記録媒体２５への画像情報のコピーと注文情報の書込みが終了すると、また、前述のステップＳ３７でユーザから記録データの移動要求が入力されていないと判断した場合（ステップＳ３７；Ｎｏ）、前述した撮影モードの解除操作の実施判定を行う（ステップＳ３６）。そして、撮影モードの解除操作が行われていないと判断した時は、前述同様にシャッタボタンの入力監視に戻り（ステップＳ２８）に戻り、上述の処理を繰り返す。一方、撮影モードの解除操作が行われたと判断した場合（ステップＳ３６；Ｙｅｓ）は、撮影モードを終了する。
【０１２１】
本実施形態によれば、片方の記録媒体２４に撮影画像を一旦記録しておき、その後、ユーザが画像内容を確認しながら必要な画像を選択して、選択に係る画像をプリント写真作成用の注文情報とともに、プリント写真作成システム１で使用可能な記録媒体２５に記録するようにした。その結果、例えば、記録媒体２４に高速で大容量の記録媒体を用いてデジタルカメラ１１で速写撮影や大量の写真撮影を行ったあとで、撮影した画像情報の中からプリントしたい画像情報を選択しプリント写真作成用の注文情報とともに記録媒体２５に保存することが可能である。さらに、本実施形態によれば、カメラ１１単体で画像を確認しながらユーザが画像の要否を判断してプリント写真作成の判断を行うことができるという利点がある。特に、海外への鉄道写真撮影旅行や南極探検で行われる写真撮影などのように長期にわたる撮影旅行を行った後で、その中からプリント写真にしたい画像情報を選択し、プリント写真の依頼を行うようなケースには最適である。
【０１２２】
また、上記実施形態では、一次記録媒体である記録媒体２４に画像情報を記録後、ユーザの選択に応じて画像情報を記録媒体２５（二次記録媒体）に記録する例を述べたが、一次記録媒体に記録された画像情報を自動的に選択して二次記録媒体である記録媒体２５に記録する制御を行うことも可能である。
【０１２３】
例えば、記録媒体２４の空き容量をＣＰＵ１２が監視し、記録媒体２４の残容量が所定の判定基準を下回った場合に、記録媒体２４に記録されている内容の一部又は全部を記録媒体２５に自動転送する処理を行う。この様にして撮像した画像情報を確実にいずれかの記録媒体内に収録できる。
【０１２４】
また、記録媒体２４から記録媒体２５に画像情報を転送する処理を実行する前に、液晶モニタ４０にその旨を示すメッセージを表示させるなどしてユーザに対して注意を促して、ユーザからの処理実行承認を得るとともにユーザが注文情報の入力の実施を確認してから転送処理を実行してもよい。また、転送処理中にユーザが記録媒体２４、２５の着脱を行わないように、警告を表示することも好ましい態様の１つである。
【０１２５】
また、上記実施形態では、２つの記録媒体２４、２５がともにデジタルカメラ１１に着脱可能な外部メモリである態様を述べたが、一方の記録媒体をカメラ内蔵の固定媒体とし、他方の記録媒体を着脱可能な外部媒体とする態様であってもよい。
【０１２６】
さらに、図７で説明したフローチャートでは、撮影モード中に記録データの移動要求を受け付けたが、本発明の実施に際しては、再生モード中に記録データの移動要求を受け付ける態様も可能である。
【０１２７】
また、デジタルカメラ１１の適用範囲は、上述した実施形態に限定されるものではなく、例えば、カメラ付き携帯電話機、カメラ付きＰＤＡ、カメラ付きモバイルパソコンなどで電子撮像機能とプリント写真作成用の注文情報を記録する機能を備えたものであれば適用可能である。
【図面の簡単な説明】
【０１２８】
【図１】プリント写真作成システムの実施形態の一例を示す概要図である。
【図２】本発明に係るプリント写真作成システムの制御ブロック図である。
【図３】画像情報と注文情報を記録媒体に格納する形態の一例を示す図である。
【図４】画像ファイルのフォーマットの一例を示す図である。
【図５】本発明におけるプリント写真作成手順のフローチャートである。
【図６】デュアルスロット方式のデジタルカメラの構成を示すブロック図である。
【図７】本発明に使用可能なデジタルカメラで行われる撮影処理手順の一例を示すフローチャートである。
【符号の説明】
【０１２９】
１  プリント写真作成システム
１１  デジタルカメラ
２、２４、２５  記録媒体
３  情報取扱装置（制御手段）
３１  記録媒体装填部
３２  記録媒体情報読出部
３３  プリント写真出力装置使用情報検出部
３４  情報書込部
３５  注文情報削除部
４  プリント写真出力装置（デジタル写真プリンタ）
６  注文ファイル
７  画像ファイル
８  タグ領域
９  画像情報
１０  プリント写真
１７  注文情報
２２  プリント写真作成実施情報
【図１】
2006209185.tif 000003
【図２】
2006209185.tif 000004
【図３】
2006209185.tif 000005
【図４】
2006209185.tif 000006
【図５】
2006209185.tif 000007
【図６】
2006209185.tif 000008
【図７】
2006209185.tif 000009